(57)【要約】      （修正有）【課題】イメージ管で設定される有効視野口径の口径寸法の如何にかかわらず、可視光像の歪みを引き起こす歪み誘発磁気を十分に打ち消せるようにする。【解決手段】この発明のＸ線受像装置は、イメージ管１４による入射Ｘ線像の検出と同時平行で、磁気シールド体１６がイメージ管１４の周側面から歪み誘発磁気がかかるのを防ぐと共に歪み補正コイル１８が歪み補正磁気を発生して歪み誘発磁気としてＸ線入力面側からかかる地磁気を打ち消す構成となっているのに加え、視野口径設定機構２１による有効視野口径の変更があった場合、コイル電流供給部２４が視野口径設定機構２１で設定される有効視野口径に適合した歪み補正磁気を発生させるコイル電流を選択して歪み補正コイル１８に供給する。【選択図】    図２
2006338906.tif 000002
【特許請求の範囲】
【請求項１】
入射Ｘ線像に応じた光電子像を出力する入力面基板と光電子像を縮小結像させる電子レンズ系と電子レンズ系で縮小結像された光電子像を可視光像に変換出力する出力蛍光面とを収納したイメージ管と、イメージ管の中の電子レンズ系をイメージ管の外側で囲むかたちで配設されている筒状の磁気シールド体と、光電子像を歪ませて可視光像の歪みを引き起こす歪み誘発磁気を検出する磁気検出手段と、イメージ管のＸ線入力面の外周縁に沿って入力面基板の外周空間を囲むかたちで巻回され、磁気検出手段による歪み誘発磁気の検出結果に基づいて歪み誘発磁気を打ち消す歪み補正磁気を発生する歪み補正コイルと、入力面基板における入射Ｘ線像の入力面のうち出力蛍光面に実際に可視光像となって出現する範囲を規定する有効視野口径を予め定められた口径寸法の異なる複数の有効視野口径の間で変更可能に設定する視野口径設定手段とを備えたＸ線受像装置において、イメージ管で設定される有効視野口径別に各有効視野口径に適合した歪み補正磁気を発生させるコイル電流を有効視野口径毎に選択可能に歪み補正コイルに供給するコイル電流供給手段を備えていて、コイル電流供給手段が視野口径設定手段で設定される有効視野口径に適合した歪み補正磁気を発生させるコイル電流を選択して歪み補正コイルに供給することを特徴とするＸ線受像装置。
【請求項２】
請求項１に記載のＸ線受像装置において、視野口径設定手段は、イメージ管の有効視野口径の変更を電子レンズ系の電気的制御により行なうＸ線受像装置。
【発明の詳細な説明】
【技術分野】
【０００１】
この発明は、入射Ｘ線像に応じた光電子像を出力する入力面基板と光電子像を縮小結像させる電子レンズ系と電子レンズ系で縮小結像された光電子像を可視光像に変換出力する出力蛍光面とを収納したイメージ管を備えているＸ線受像装置に係り、特に光電子像を歪ませて可視光像の歪みを引き起こす歪み誘発磁気を打ち消すための技術に関する。
【背景技術】
【０００２】
従来のこの種のイメージ管を備えたＸ線受像装置は、図９および図１０に示すように、入射Ｘ線像に応じた光電子像を出力する為のＣｓＩ等の蛍光面と光電陰極とからなる入力面基板５１と、入力面基板５１の光電陰極から放出される光電子像を縮小結像させる為の電子レンズ系５２と、電子レンズ系５２のレンズ作用で縮小結像された光電子像を可視光像に変換出力する出力蛍光面５３とを収納した真空密封式のイメージ管５４が金属製外容器５５に納められている。
【０００３】
従来のＸ線受像装置では、通常、歪み誘発磁気として地磁気がローレンツ力で光電子像を歪ませて可視光像の歪みを引き起こす。地磁気は、例えば、図１１（ａ）に示すように、＋の形の入射Ｘ線像ＸＡが、図１１（ｂ）に示すように、正しく＋の形の可視光像Ｘａに変換されずに、縦・横が共にＳ字状にゆがんだ歪みのある可視光像Ｘｂに変換されてしまう。そこで、地磁気による可視光像の歪みを回避する為に、イメージ管５４の中の電子レンズ系５２をイメージ管５４の外側で囲むかたちで強磁性体製の円筒状の磁気シールド体５６を設置して磁気遮蔽を行なっている。磁気シールド体５６が磁気遮蔽壁となってイメージ管５４の周側面から地磁気がかかるのを防ぐのである。
【０００４】
ただＸ線の入射面である入力面基板５１の前面には、入射Ｘ線像のＸ線強度低下を阻止するために、磁気遮蔽を施すことができず、Ｘ線の入射面には、アルミニウムやチタン，ガラス等の窓５７を設けざるを得ない。したがって、イメージ管５４の窓５７からかかる地磁気は磁気シールド体５６では防げず、磁気シールド体５６だけで地磁気による可視光像の歪みを抑えられない。
【０００５】
それで、図９および図１０に示すように、可視光像の歪み誘発磁気を打ち消す歪み補正磁気を発生する歪み補正コイル５８と、コイル電流を供給する電源５９を設けると共に、入力面基板５１の近傍の地磁気を検出する磁気センサー６０と磁気センサー６０の出力信号にしたがって電源５９を制御する電源制御部６１とを設けておき、磁気センサー６０で検出された地磁気に対応したコイル電流が歪み補正コイル５８に流れるように電源制御部６１で電源５９をコントロールし、歪み補正コイル５８に歪み誘発磁気の強さに見合ったコイル電流を電源５９から供給して歪み誘発磁気を打ち消すことが行われている。この歪み補正コイル５８による地磁気の打ち消し作用により、イメージ管５４の窓５７からかかる歪み誘発磁気としての地磁気による可視光像の歪みを抑えている（例えば特許文献１参照。）。
【０００６】
一方、イメージ管５４の出力蛍光面５３に生じる可視光像は、ＴＶカメラ６２により撮影されて電気信号に変換された上で入射Ｘ線像に対応するＸ線画像取得用のＸ線検出信号として出力される。ＴＶカメラ６２の後段では、Ｘ線検出信号にしたがってＸ線画像が取得されて表示モニタ（図示省略）の画面に表示されたりする。
【０００７】
他方、従来のＸ線受像装置の場合、随時、イメージ管５４の入力面基板５１における入射Ｘ線像の入力面のうち出力蛍光面５３に実際に可視光像となって出現する範囲を規定する有効視野口径が変更可能な構成となっている。例えばイメージ管５４で設定される最大の有効視野口径が仮に１２インチであるとすると、例えば１２インチと９インチの大小二つの有効視野口径の間で有効視野口径の変更が随時行なえる。
有効視野口径の小さい方が出力蛍光面５３での可視光像の倍率が上がるので、最終的なＸ線画像の倍率も有効視野口径が小さい方が上がる。したがって、口径の小さいイメージ管５４の有効視野口径モードを、通常、拡大視野モードと称したりする。
【０００８】
【特許文献１】特開平７−６５７５６号公報（第３〜４頁、図１〜図４）。
【発明の開示】
【発明が解決しようとする課題】
【０００９】
しかしながら、上記従来のＸ線受像装置は、可視光像の歪みを引き起こす歪み誘発磁気（地磁気）の打ち消しが、イメージ管５４で設定される有効視野口径の口径寸法によっては、十分でないという問題がある。
歪み補正コイル５８により発生する歪み補正磁気の強度は、図１２に示すように、入力面基板５１の中央から周縁にかけて相当に変化しており、打ち消し対象である地磁気と比較すると均一性が弱く、歪み補正コイル５８により発生する歪み補正磁気で地磁気を的確に打ち消すことはできない。
【００１０】
通常、イメージ管５４の有効視野口径を使用頻度の高い最大の有効視野口径に設定した場合に、可視光像やＸ線画像の上で歪みが目立たないように歪み補正コイル５８により歪み補正磁気を発生させる構成とされている。しかし、この場合、拡大視野モードに変更した時に、可視光像やＸ線画像の倍率が上がるので、可視光像やＸ線画像の歪みが目立つことになる。
逆に、イメージ管５４の有効視野口径を拡大視野モードの有効視野口径に設定した場合に、可視光像やＸ線画像の上で歪みが目立たないように歪み補正コイル５８により歪み補正磁気を発生させる構成とすると、イメージ管５４の有効視野口径を、使用頻度の高い最大の有効視野口径にした時に、可視光像やＸ線画像は周縁での歪みが大きなものとなってしまう。
【００１１】
この発明は、このような事情に鑑みてなされたものであって、イメージ管で設定される有効視野口径の口径寸法の如何にかかわらず、可視光像の歪みを引き起こす歪み誘発磁気を十分に打ち消すことができるＸ線受像装置を提供することを目的とする。
【課題を解決するための手段】
【００１２】
上記目的を達成するために、この発明は、次のような構成をとる。
すなわち、請求項１に記載の発明に係るＸ線受像装置は、入射Ｘ線像に応じた光電子像を出力する入力面基板と光電子像を縮小結像させる電子レンズ系と電子レンズ系で縮小結像された光電子像を可視光像に変換出力する出力蛍光面とを収納したイメージ管と、イメージ管の中の電子レンズ系をイメージ管の外側で囲むかたちで配設されている筒状の磁気シールド体と、イメージ管のＸ線入力面の外周縁に沿って入力面基板の外周空間を囲むかたちで巻回され、光電子像を歪ませて可視光像の歪みを引き起こす歪み誘発磁気を検出する磁気検出手段と、磁気検出手段による歪み誘発磁気の検出結果に基づいて歪み誘発磁気を打ち消す歪み補正磁気を発生する歪み補正コイルと、入力面基板における入射Ｘ線像の入力面のうち出力蛍光面に実際に可視光像となって出現する範囲を規定する有効視野口径を予め定められた口径寸法の異なる複数の有効視野口径の間で変更可能に設定する視野口径設定手段とを備えたＸ線受像装置において、イメージ管で設定される有効視野口径別に各有効視野口径に適合した歪み補正磁気を発生させるコイル電流を有効視野口径毎に選択可能に歪み補正コイルに供給するコイル電流供給手段を備えていて、コイル電流供給手段が視野口径設定手段で設定される有効視野口径に適合した歪み補正磁気を発生させるコイル電流を選択して歪み補正コイルに供給することを特徴とするものである。
【００１３】
［作用・効果］請求項１の発明のＸ線受像装置において入射Ｘ線像の撮像が行なわれる場合、イメージ管では入力面基板への入射Ｘ線像の投影で生じた光電子像を電子レンズ系が、磁気シールド体による磁気遮蔽によって地磁気の影響を回避しながら出力蛍光面に縮小結像させる結果、出力蛍光面では縮小結像された光電子像が可視光像に変換出力される。つまり磁気シールド体が磁気遮蔽壁となってイメージ管の周側面から光電子像を歪ませて可視光像の歪みを引き起こす歪み誘発磁気としての地磁気がかかるのを防ぐ。
加えて、請求項１の発明のＸ線受像装置では、入射Ｘ線像の撮像と同時平行で、イメージ管のＸ線入力面の外周縁に沿って入力面基板の外周空間を囲むかたちで巻回されている歪み補正コイルが歪み補正磁気を発生することにより、光電子像を歪ませて可視光像の歪みを引き起こす歪み誘発磁気としてＸ線入力面側からかかる地磁気を打ち消す。
その結果、光電子像の歪みが阻止されて、出力蛍光面に出力される可視光像の歪みが抑えられる。
【００１４】
一方、請求項１の発明のＸ線受像装置の場合、随時、視野口径設定手段により、入力面基板における入射Ｘ線像の入力面のうち出力蛍光面に実際に可視光像となって出現する範囲を規定するイメージ管の有効視野口径を予め定められた口径寸法の異なる複数の有効視野口径の間で変更できる。視野口径設定手段による有効視野口径の変更に伴ってイメージ管の出力蛍光面での可視光像の倍率が変化する。
他方、請求項１の発明のＸ線受像装置では、有効視野口径別に各有効視野口径に適合した歪み補正磁気を発生させるコイル電流を有効視野口径毎に選択可能に歪み補正コイルに供給するコイル電流供給手段が備えられていて、視野口径設定手段による有効視野口径の変更があった場合、コイル電流供給手段は視野口径設定手段で設定される有効視野口径に適合した歪み補正磁気を発生させるコイル電流を選択して歪み補正コイルに供給するので、イメージ管で設定される有効視野口径の口径寸法が変更されても、歪み補正コイルは可視光像の歪みを引き起こす歪み誘発磁気を的確に打ち消すことができる。
【００１５】
また、請求項２に記載の発明は、請求項１に記載のＸ線受像装置において、視野口径設定手段は、イメージ管の有効視野口径の変更を電子レンズ系の電気的制御により行なうものである。
【００１６】
［作用・効果］請求項２の発明のＸ線受像装置の場合、視野口径設定手段による有効視野口径の変更が電子レンズ系の電気的制御により行なえるので、イメージ管の有効視野口径を容易に変更することができる。
【発明の効果】
【００１７】
請求項１の発明のＸ線受像装置の場合、イメージ管による入射Ｘ線像の検出と同時平行で、イメージ管の中の電子レンズ系をイメージ管の外側で囲むかたちで配設されている筒状の磁気シールド体が磁気遮蔽壁となることにより、イメージ管の周側面から光電子像を歪ませて可視光像の歪みを引き起こす歪み誘発磁気としての地磁気がかかるのを防ぐのに加え、イメージ管のＸ線入力面の外周縁に沿って入力面基板の外周空間を囲むかたちで巻回されている歪み補正コイルが歪み補正磁気を発生することにより、光電子像を歪ませて可視光像の歪みを引き起こす歪み誘発磁気としてＸ線入力面側からかかる地磁気を打ち消す構成となっていて、光電子像の歪みが阻止されるので、出力蛍光面に出力される可視光像の歪みが抑えられると共に、視野口径設定手段により、入力面基板における入射Ｘ線像の入力面のうち出力蛍光面に実際に可視光像となって出現する範囲を規定するイメージ管の有効視野口径を予め定められた口径寸法の異なる複数の有効視野口径の間で変更できる構成であるので、イメージ管の出力蛍光面での可視光像の倍率を変化させることができる。
【００１８】
加えて、請求項１の発明のＸ線受像装置の場合、有効視野口径別に各有効視野口径に適合した歪み補正磁気を発生させるコイル電流を有効視野口径毎に選択可能に歪み補正コイルに供給するコイル電流供給手段が備えられていて、視野口径設定手段による有効視野口径の変更があった場合、コイル電流供給手段が視野口径設定手段で設定される有効視野口径に適合した歪み補正磁気を発生させるコイル電流を選択して歪み補正コイルに供給するので、イメージ管で設定される有効視野口径が変更されても、歪み補正コイルは可視光像の歪みを引き起こす歪み誘発磁気を的確に打ち消すことができる。
よって、請求項１の発明のＸ線受像装置によれば、イメージ管で設定される有効視野口径の口径寸法の如何にかかわらず、可視光像の歪みを引き起こす歪み誘発磁気を十分に打ち消すことができる。
【実施例】
【００１９】
以下、この発明の実施例を図面を参照しながら説明する。図１は実施例に係るＸ線受像器（Ｘ線受像装置）が組み込まれたＸ線透視装置の全体構成図、図２は実施例に係るＸ線受像器の構成を示す説明図、図３は実施例に係るＸ線受像器の磁気シールド体および歪み補正コイルの配置状況を示す平面図、図４はＸ線透視装置におけるＸ線撮像系を示す斜視図である。
【００２０】
図１のＸ線透視装置は、天板ＢＤに載置された被検体ＭにＸ線照射制御部１０による制御にしたがってＸ線透視用のＸ線を照射するＸ線管１と、被検体Ｍの透過Ｘ線像を入射Ｘ線像として撮影して電気信号に変換してＸ線透視用のＸ線検出信号として出力するイメージインテンシファイア型のＸ線受像器２と、Ｘ線受像器２から出力されるＸ線透視用のＸ線検出信号に基づいてＸ線透視画像を取得する透視画像取得部３と、透視画像取得部３で取得されたＸ線透視画像やＸ線透視に必要な操作メニュー等を表示する表示モニタ４と、Ｘ線透視撮影に必要なデータや指令の入力操作を行なう操作部５などを備えている。
【００２１】
実施例のＸ線受像器２は、図２および図３に示すように、入射Ｘ線像に応じた光電子像を出力する為のＣｓＩ等の蛍光面と光電陰極とからなる入力面基板１１と、入力面基板１１の光電陰極から放出される光電子像を縮小結像させる為の電子レンズ系１２と、電子レンズ系１２のレンズ作用で縮小結像された光電子像を可視光像に変換出力する出力蛍光面１３とを収納した真空密封式のイメージ管１４が、金属製の外容器１５に納められている構成とされている。
【００２２】
実施例のＸ線受像器２の場合、地磁気（歪み誘発磁気）の影響で光電子像が歪むのに伴って出力蛍光面１３の可視光像が歪むのを抑えるために、イメージ管１４の中の電子レンズ系１２をイメージ管１４の外側で囲むかたちで円筒状の磁気シールド体１６を設置して磁気遮蔽をおこなっている。磁気シールド体１６はパーマロイ等の強磁性体製であり、磁気シールド体１６が磁気遮蔽壁となってイメージ管１４の周側面からかかる歪み誘発磁気としての地磁気を防ぐ。磁気シールド体１６は外容器１５の内周面と磁気シールド体１６の外周面が当接した状態で外容器１５に内挿される配置となっている。
【００２３】
実施例のＸ線受像器２により入射Ｘ線像の撮影が行なわれる場合、イメージ管１４の入力面基板１１への入射Ｘ線像の投影で生じた光電子像を電子レンズ系１２が、磁気シールド体１６による磁気遮蔽壁で地磁気の影響を回避しながら出力蛍光面１３に縮小結像すると共に、出力蛍光面１３には縮小結像された光電子像が可視光像に変換されたかたちで出力される。なお、イメージ管１４の出力蛍光面１３に生じる可視光像は、ＴＶカメラ１９により撮影されて電気信号に変換された上でＸ線検出信号として出力される。
【００２４】
ただ、イメージ管１４の場合、図２に示すように、Ｘ線の入射面である入力面基板１１の前面には磁気シールド体１６が施設されていない。入力面基板１の前面まで磁気遮蔽すると、磁気シールド体１６によるＸ線吸収で入射Ｘ線像のＸ線強度が低下し、Ｘ線検出感度が落ちてしまう。そのため、入力面基板１１の前面には強磁性体の金属による磁気シールドを施すことができず、Ｘ線の入射面には、アルミニウムやチタン，ガラス等の窓１７を設けざるを得ない。したがって、イメージ管１４の窓１７からかかる地磁気は磁気シールド体１６で防ぐことができず、磁気シールド体１６だけでは地磁気による可視光像の歪みを抑えられない。
【００２５】
それで、実施例のＸ線受像器２では、図２および図３に示すように、入力面基板１１の近傍の地磁気の強さ・向きを検出する磁気センサー（磁気検出手段）２０と、イメージ管１４のＸ線入力面である窓１７の外周縁に沿って入力面基板１１の外周空間を囲むかたちで巻回され、磁気センサー２０による歪み誘発磁気の検出結果に基づいて光電子像を歪ませて可視光像の歪みを引き起こす歪み誘発磁気を打ち消す歪み補正磁気を発生する歪み補正コイル１８が設けられていて、歪み補正コイル１８に歪み誘発磁気の強さに見合ったコイル電流を流すことによって歪み誘発磁気を打ち消す構成となっている。歪み補正コイル１８の巻き回数（ターン数）は、特定のターン数に限られるものではないが、例えば８００〜１０００ターンが例示される。
【００２６】
即ち、入射Ｘ線像の撮像と同時平行で、歪み補正コイル１８が歪み補正磁気を発生することにより、光電子像を歪ませて可視光像の歪みを引き起こす歪み誘発磁気としてＸ線入力面側からかかる地磁気を打ち消すので、光電子像の歪みが阻止される結果、出力蛍光面１３に出力される可視光像の歪みが抑えられる。
【００２７】
一方、Ｘ線受像器２の場合、図２に示すように、イメージ管１４の入力面基板１１における入射Ｘ線像の入力面のうち出力蛍光面１３に実際に可視光像となって出現する範囲を規定するイメージ管１４の有効視野口径を予め定められた口径寸法の異なる複数の有効視野口径の間で随時に変更可能に設定する視野口径設定機構２１が備えられている。
イメージ管１４で設定できる複数の有効視野口径の口径寸法や数は、特定の寸法や数に限定されるものではないが、以下では、便宜上、イメージ管１４で設定される最大の有効視野口径を１２インチとし、視野口径設定機構２１により、大口径の１２インチと小口径の９インチの大小二つの有効視野口径の間で有効視野口径の変更が随時に行なえるものとして説明する。有効視野口径の小さい方が出力蛍光面１３での可視光像の倍率が上がるので、最終的なＸ線透視画像の倍率も有効視野口径が小さい方が上がる。また、以下では、図３に示すように、使用頻度の高い大口径の１２インチ有効視野口径１４ａの設定モードを標準視野モードと称し、像倍率の高い小口径の９インチ有効視野口径１４ｂの設定モードを拡大視野モードと称することとする。
【００２８】
実施例の装置のＸ線受像器２の場合、操作部５により標準視野モードと拡大視野モードのいずれか一方が指定されるのに伴って、指定された視野モードに応じた視野モード指定信号を出力する視野モード制御部２２と、電子レンズ系１２の電極に電圧を印加するレンズ電極電源２３が設けられていて、視野モード制御部２２から出力される視野モード指定信号にしたがってレンズ電極電源２３が電子レンズ系１２の電極に印加する電圧を変更することにより、標準視野モードと拡大視野モードの間での有効視野口径の変更がなされる構成とされている。つまり、視野口径設定機構２１は、視野モード制御部２２とレンズ電極電源２３を中心に構成されていて、有効視野口径の変更が電子レンズ系１２の電極に印加する電圧を変更するという電気的制御で容易に行なえる。
【００２９】
他方、実施例のＸ線受像器２の場合、図２に示すように、イメージ管１４で設定される有効視野口径別に各有効視野口径に適合した歪み補正磁気を発生させるコイル電流を有効視野口径毎に選択可能に歪み補正コイル１８に供給するコイル電流供給部２４を備えていて、コイル電流供給部２４が視野口径設定機構２１で設定される有効視野口径に適合した歪み補正磁気を発生させるコイル電流を選択して歪み補正コイル１８に供給する構成とされている点を、特徴としているので、この点を、以下、具体的に詳述する。
【００３０】
コイル電流供給部２４は、磁気センサー２０による歪み誘発磁気の検出信号にしたがってイメージ管１４の標準視野モードである１２インチ有効視野口径１４ａに適合した歪み補正磁気を発生させるコイル電流を選択して歪み補正コイル１８に供給する標準視野モード電流供給部２４Ａと、磁気センサー２０による歪み誘発磁気の検出信号にしたがってイメージ管１４の拡大視野モードである９インチ有効視野口径１４ｂに適合した歪み補正磁気を発生させるコイル電流を選択して歪み補正コイル１８に供給する拡大視野モード電流供給部２４Ｂと、視野モード指定信号が指定する視野モードに応じて磁気センサー２０の出力を標準視野モード電流供給部２４Ａと拡大視野モード電流供給部２４Ｂのいずれか一方に選択的に接続する切り換えスイッチ部２４Ｃを有している。
【００３１】
そして、コイル電流供給部２４の場合、標準視野モードが指定された時は、切り換えスイッチ部２４Ｃの接点が実線で示す接続状態となり、磁気センサー２０の出力が標準視野モード電流供給部２４Ａに接続されると共に、標準視野モード電流供給部２４Ａが歪み補正コイル１８にコイル電流を供給し、拡大視野モードが指定された時は、切り換えスイッチ部２４Ｃの接点が一点鎖線で示す接続状態となり、磁気センサー２０の出力が拡大視野モード電流供給部２４Ｂに接続されると共に、拡大視野モード電流供給部２４Ｂが歪み補正コイル１８にコイル電流を供給する構成とされている。
なお、標準視野モード電流供給部２４Ａや拡大視野モード電流供給部２４Ｂの場合、オープンループ方式で歪み補正を行なう構成であるが、標準視野モード電流供給部２４Ａや拡大視野モード電流供給部２４Ｂは、フィードバック方式で歪み補正を行なう構成であってもよい。
【００３２】
より具体的には、標準視野モード電流供給部２４Ａの場合、磁気センサー２０による歪み誘発磁気の検出信号を入力信号として、図５に示すように、イメージ管１４で設定される１２インチ有効視野口径１４ａに投影される＋の形の入射Ｘ線像ＹＡを、図６に示すように、概ね＋の可視光像Ｙａとして出力蛍光面１３に出現させる歪み補正磁気を発生させるコイル電流を歪み補正コイル１８に供給するよう、磁気センサー２０による歪み誘発磁気の検出信号に対する増幅度やコイル電流の極性が予め調整・セッティングされている。つまり、補正コイル１８で発生させた図１２の磁場分布により過剰に補正をかけて、１２インチ有効視野口径１４ａでは見かけ上の歪みが小さい可視光像Ｙａを得ているのである。なお、歪み補正コイル１８による歪み補正のない時の可視光像ｙａを比較の為に破線で図６へ示す。
【００３３】
拡大視野モード電流供給部２４Ｂの場合、磁気センサー２０による歪み誘発磁気の検出信号を入力信号として、図７に示すように、イメージ管１４で設定される９インチ有効視野口径１４ｂに投影される＋の形の入射Ｘ線像ＹＢを、図８に示すように、正しく＋の可視光像Ｙｂとして出力蛍光面１３に出現させる歪み補正磁気を発生させるコイル電流を歪み補正コイル１８に供給するよう、磁気センサー２０による歪み誘発磁気の検出信号に対する増幅度やコイル電流の極性が予め調整・セッティングされている。
なお、標準視野モード電流供給部２４Ａによる歪み補正時の可視光像Ｙａを比較の為に破線で図８へ示す。
【００３４】
標準視野モード電流供給部２４Ａによる歪み補正だと、図６および図８に示すように、１２インチ有効視野口径１４ａのエリアの全体的な歪みは旨く抑えられるが、９インチ有効視野口径のエリアの歪みはきっちりとは抑えられない。しかし、拡大視野モード電流供給部２４Ｂによる歪み補正だと、図８に示すように、９インチ有効視野口径１４ｂのエリアの歪みがきっちり抑えられる。なお、拡大視野モード電流供給部２４Ｂの場合、９インチ有効視野口径１４ｂを越えるエリアの歪みについては抑えが効き難くなるが、拡大視野モードの場合、９インチ有効視野口径１４ｂを越えるエリアは非利用エリアであるので何ら問題ない。
【００３５】
図１のＸ線透視装置の場合、Ｘ線管１とＸ線受像器２の（イメージ管１４およびＴＶカメラ１９を中心とする）主要部は、図４に示すように、天井走行式のＣ型アーム６の一端と他端に被検体Ｍを挟んで対向配置された状態で取り付けられており、Ｃ型アーム６の背面中央に設けられた回転軸７を回転中心としてＣ型アーム６が回転するのに伴って、Ｘ線管１とＸ線受像器２の主要部が対向配置状態のままで矢印８で示す向きに回転したり、Ｃ型アーム６の円弧に沿ってＣ型アーム６が所定範囲をスライドするの伴って、Ｘ線管１とＸ線受像器２の主要部が対向配置状態のままで矢印９で示す向きに移動してＸ線透視方向が変化させられる構成とされている。
また、Ｃ型アーム６の回転に伴ってＸ線管１とＸ線受像器２の主要部が移動してＸ線透視方向が変化する場合、イメージ管１４の窓からかかる歪み誘発磁気の有効強度が変動することになるが、この変動は磁気センサー２０の検出信号の強度に反映されるので、Ｘ線透視方向が変化しても、歪み補正コイル１８の歪み補正機能が阻害されるようなことはない。
【００３６】
なお、主制御部２５は、コンピュータ（ＣＰＵ）とその動作プログラムを中心に構成されていて、操作部５によるデータや指令の入力、あるいは、Ｘ線透視の進行状況などに応じて適切な命令信号やデータを適時に送出し、装置全体を常に適切に動作させる統括制御機能を果たす。
【００３７】
以上に詳述した通り、実施例のＸ線受像器２の場合、イメージ管１４による入射Ｘ線像の検出と同時平行で、磁気シールド体１６が磁気遮蔽壁となってイメージ管１４の周側面から光電子像を歪ませて可視光像の歪みを引き起こす歪み誘発磁気としての地磁気がかかるのを防ぐのに加え、歪み補正コイル１８が歪み補正磁気を発生して歪み誘発磁気としてＸ線入力面側からかかる地磁気を打ち消す構成となっていて、光電子像の歪みが抑えられるので、出力蛍光面１３に出力される可視光像の歪みが抑えられると共に、視野口径設定機構２１により、入力面基板１１における入射Ｘ線像の入力面のうち出力蛍光面１３に実際に可視光像となって出現する範囲を規定するイメージ管１４の有効視野口径を予め定められた口径寸法の異なる複数の有効視野口径の間で変更できる構成であるので、イメージ管１４の出力蛍光面１３での可視光像の倍率を変化させることができる。
【００３８】
加えて、実施例のＸ線受像器２の場合、イメージ管１４で設定される有効視野口径別に各有効視野口径に適合した歪み補正磁気を発生させるコイル電流を有効視野口径毎に選択可能に歪み補正コイルに供給するコイル電流供給部２４が備えられていて、視野口径設定機構２１による有効視野口径の変更があった場合、コイル電流供給部２４が視野口径設定機構２１で設定される有効視野口径に適合した歪み補正磁気を発生させるコイル電流を選択して歪み補正コイル１８に供給するので、イメージ管１４で設定される有効視野口径が変更されても、歪み補正コイル１８は可視光像の歪みを引き起こす歪み誘発磁気を的確に打ち消すことができる。
よって、実施例のＸ線受像器２によれば、イメージ管１４で設定される有効視野口径の口径寸法の如何にかかわらず、可視光像の歪みを引き起こす歪み誘発磁気を十分に打ち消すことができる。
【００３９】
この発明は、上記の実施例に限られるものではなく、以下のように変形実施することも可能である。
（１）実施例の装置におけるＸ線受像器２の場合、磁気センサー２０の設置位置がイメージ管１４の前面（入力面）側外縁近傍であったが、磁気センサー２０の設置位置は、イメージ管１４の入力面外縁近傍に限らず、例えば磁気センサー２０がイメージ管１４の横（側周面）側に設置されていてもよい。
【００４０】
（２）実施例の装置におけるＸ線受像器２の場合、レンズ電極電源２３がイメージ管１４に併設されていたが、レンズ電極電源２３がイメージ管１４と別体に配設されている構成であってもよい。
また、実施例の装置におけるＸ線受像器２の場合、視野モード制御部２２はイメージ管１４と別体に制御コンソール側に配置されていたが、視野モード制御部２２がイメージ管１４に併設されていてもよい。
【００４１】
（３）実施例の場合、Ｘ線受像器２が、図４に示すような天井走行式Ｃアーム６に適用される構成であったが、Ｘ線受像器２は、床走行式ＣアームやＸ線撮影台に組み込まれた据え置き式Ｃアームに適用することもできる。
【００４２】
（４）実施例の場合、この発明のＸ線受像装置がＸ線透視装置に用いられていたが、この発明のＸ線受像装置はＸ線透視装置以外のＸ線撮像装置に適用することもできる。
【図面の簡単な説明】
【００４３】
【図１】実施例のＸ線受像器が組み込まれたＸ線透視装置の全体構成図である。
【図２】実施例のＸ線受像器の構成を示す説明図である。
【図３】実施例のＸ線受像器の磁気シールド体および歪み補正コイルの配置状況を示す平面図である。
【図４】Ｘ線透視装置におけるＸ線撮像系を示す斜視図である。
【図５】実施例のＸ線受像器の標準視野モードでの入射Ｘ線像の一例を示す模式図である。
【図６】実施例のＸ線受像器の標準視野モードでの可視光像の一例を示す模式図である。
【図７】実施例のＸ線受像器の拡大視野モードでの入射Ｘ線像の一例を示す模式図である。
【図８】実施例のＸ線受像器の拡大視野モードでの可視光像の一例を示す模式図である。
【図９】従来のＸ線受像器の全体構成図である。
【図１０】従来のＸ線受像器における磁気シールド体と歪み補正コイルの配置状況を示す平面図である。
【図１１】従来のＸ線受像器における入射Ｘ線像および可視光像の一例を示す模式図である。
【図１２】Ｘ線受像器の入力面基板の周縁近傍における歪み補正コイルによる歪み補正磁気の印加状況を示す磁気強度表示チャートである。
【符号の説明】
【００４４】
２        …  Ｘ線受像器（Ｘ線受像装置）
１１        …  入力面基板
１２        …  電子レンズ系
１３        …  出力蛍光面
１４        …  イメージ管
１４ａ      …  １２インチ有効視野口径（有効視野口径）
１４ｂ      …  ９インチ有効視野口径（有効視野口径）
１６        …  磁気シールド体
１８        …  歪み補正コイル
２０        …  磁気センサー
２１        …  視野口径設定機構（視野口径設定手段）
２４        …  コイル電流供給部（コイル電流供給手段）
ＹＡ，ＹＢ  …  入射Ｘ線像
Ｙａ，Ｙｂ  …  可視光像
【図１】
2006338906.tif 000003
【図２】
2006338906.tif 000004
【図３】
2006338906.tif 000005
【図４】
2006338906.tif 000006
【図５】
2006338906.tif 000007
【図６】
2006338906.tif 000008
【図７】
2006338906.tif 000009
【図８】
2006338906.tif 000010
【図９】
2006338906.tif 000011
【図１０】
2006338906.tif 000012
【図１１】
2006338906.tif 000013
【図１２】
2006338906.tif 000014